(57)【特許請求の範囲】
【請求項１】
構造用基礎に固定されて一階から上階までを貫く長さの複数本の鉄骨柱およびこれらの鉄骨柱に連結されて各階の床梁や小屋梁を形成する複数本の鉄骨梁から鉄骨構造体が形成された鉄骨系住宅において、出隅部に立設された鉄骨柱の外周側に配設される出隅パネルと、出隅パネルの裏面側各辺部の上下端部近傍にそれぞれ固定された係合部を有する係合金具と、前記鉄骨柱の外周側に固定された支持部を有する支持部材と、前記鉄骨柱の内部側に直交して連結された各階の床梁を構成する鉄骨梁の上フランジおよび下フランジにそれぞれ固定され、出隅パネルの各辺部に隣接して立設される外壁パネルの下部取付部材および上部取付部材と、から構成され、前記下部取付部材は、リップ部を有して鉄骨柱の外周側隅角部近傍まで延設されたチャンネル材が支持板に溶接されて形成され、また、前記上部取付部材は、リップ部を有して鉄骨柱の外周側隅角部近傍まで延設されたチャンネル材が取付板に溶接されて形成され、出隅パネルの各辺部下端面が支持部材の支持部に載置されるとともに、出隅パネルの下端部近傍に固定された係合金具が下階の鉄骨梁に固定された下部取付部材のチャンネル材のリップ部にそれぞれ係合され、また、出隅パネルの上端部近傍に固定された係合金具が上階の鉄骨梁に固定された上部取付部材のチャンネル材のリップ部にそれぞれ係合されていることを特徴とする鉄骨系住宅における出隅パネルの取付構造。
【発明の詳細な説明】
【０００１】
【発明の属する技術分野】
本発明は、鉄骨系住宅における出隅パネルの取付構造に関するものである。
【０００２】
【従来の技術】
従来、複数個の中空部が上下方向に貫通して形成されるとともに、裏面側の所定位置にナット金具が予め配設された押出成形セメント板からなる外壁パネルが知られている。このような外壁パネルを用いて鉄骨系住宅の外壁を形成する場合、下階の鉄骨梁に下部取付部材を固定するとともに、上階の鉄骨梁に上部取付部材を固定し、外壁パネルを下部取付部材および上部取付部材にわたって固定するようにしている（例えば、特開２０００−８７４８３号公報参照）。
【０００３】
【発明が解決しようとする課題】
ところで、鉄骨系住宅の主要構造部を構成する鉄骨構造体として、図７に示すように、図示しない構造用基礎に固定されて１階から上階までを貫く長さの複数本の鉄骨柱Ｃおよびこれらの鉄骨柱Ｃに連結されて各階の床梁や小屋梁を形成する複数本の鉄骨梁Ｈから構成する場合がある。
【０００４】
このような鉄骨構造体において、出隅部に鉄骨柱Ｃがある場合、鉄骨柱Ｃの外周側を覆って断面Ｌ字状の外壁パネル（以下、出隅パネルという）を取り付ける必要がある。
【０００５】
この場合、鉄骨柱Ｃが通柱として１階から上階にわたって立設されていることから、外壁パネルの表面に表面が連続するように出隅パネルを取り付けようとすると、出隅パネルの裏面と鉄骨柱Ｃの表面との間隔が小さく、出隅パネルの取付作業が困難であった。このため、出隅パネルに金具を取り付け、金具を鉄骨柱Ｃに溶接するようにしているが、足場の悪い条件下で溶接作業を行わなければならない他、出隅パネルと鉄骨柱Ｃとの狭い空間で作業しなければならないことに変わりはなく、作業性を向上させることはできない。また、出隅パネルを金具を介して鉄骨柱Ｃに溶接すると、出隅パネルに隣接する外壁パネルとの出調整ができないことから、出隅パネルの表面が外壁パネルの表面と一致しない場合、外観が損なわれるという問題があった。
【０００６】
本発明は、このような問題点に鑑みてなされたものであり、鉄骨系住宅の鉄骨構造体を構成する鉄骨柱に出隅パネルを、該出隅パネルに連続する外壁パネルの下部取付部材および上部取付部材を利用して外壁パネルと面一に簡単確実に取り付けることのできる出隅パネルの取付構造を提供するものである。
【０００７】
【課題を解決するための手段】
本発明は、構造用基礎に固定されて一階から上階までを貫く長さの複数本の鉄骨柱およびこれらの鉄骨柱に連結されて各階の床梁や小屋梁を形成する複数本の鉄骨梁から鉄骨構造体が形成された鉄骨系住宅において、出隅部に立設された鉄骨柱の外周側に配設される出隅パネルと、出隅パネルの裏面側各辺部の上下端部近傍にそれぞれ固定された係合部を有する係合金具と、前記鉄骨柱の外周側に固定された支持部を有する支持部材と、前記鉄骨柱の内部側に直交して連結された各階の床梁を構成する鉄骨梁の上フランジおよび下フランジにそれぞれ固定され、出隅パネルの各辺部に隣接して立設される外壁パネルの下部取付部材および上部取付部材と、から構成され、前記下部取付部材は、リップ部を有して鉄骨柱の外周側隅角部近傍まで延設されたチャンネル材が支持板に溶接されて形成され、また、前記上部取付部材は、リップ部を有して鉄骨柱の外周側隅角部近傍まで延設されたチャンネル材が取付板に溶接されて形成され、出隅パネルの各辺部下端面が支持部材の支持部に載置されるとともに、出隅パネルの下端部近傍に固定された係合金具が下階の鉄骨梁に固定された下部取付部材のチャンネル材のリップ部にそれぞれ係合され、また、出隅パネルの上端部近傍に固定された係合金具が上階の鉄骨梁に固定された上部取付部材のチャンネル材のリップ部にそれぞれ係合されていることを特徴とするものである。
【０００８】
本発明によれば、出隅部に立設された鉄骨柱の外周側に支持部材を固定し、鉄骨柱に連結された下階の鉄骨梁に下部取付部材を固定するとともに、上階の鉄骨梁に上部取付部材を固定し、出隅パネルを支持部材に載置する一方、出隅パネルに仮固定された係合金具を、下部取付部材の延設されたチャンネル材および上部取付部材の延設されたチャンネル材にそれぞれ係合させてボルトを締め付けるだけの簡単な作業により、出隅パネルを下階と上階にわたって確実に固定することができる。そして、出隅パネルに隣接する外壁パネルを固定するための下部取付部材および上部取付部材を利用して出隅パネルを固定することができることから、出隅パネルの表面と隣接する外壁パネルの表面が面一となり、外観を損なうことがない。
【０００９】
【発明の実施の形態】
以下、本発明の鉄骨系住宅における出隅パネルの取付構造の実施の形態を図面に基づいて説明する。
【００１０】
図１乃至図３には、本発明の鉄骨系住宅における出隅パネルの取付構造の一実施形態が示されている。
【００１１】
この出隅パネルの取付構造は、出隅パネル１と、出隅パネル１の各辺部の裏面側上下端部近傍にそれぞれボルトＢによって固定された係合金具２と、鉄骨構造体の鉄骨柱Ｃの外周側にボルトを介して固定された出隅パネル１の支持部材３と、鉄骨柱Ｃに連結された下階の鉄骨梁Ｈの上フランジｈ１の上面に設定間隔をおいてボルトナットを介して固定され、出隅パネル１に隣接して取り付けられる外壁パネル１Ａの下部取付部材４と、鉄骨柱Ｃに連結された上階の鉄骨梁Ｈの下フランジｈ２の下面に設定間隔をおいてボルトナットを介して固定され、出隅パネル１に隣接して取り付けられる外壁パネル１Ａの上部取付部材５と、から構成されている。
【００１２】
ここで、鉄骨構造体の鉄骨柱Ｃとしては、断面ロ字状の角パイプが採用され、各面には、それぞれ設定間隔をおいて複数個の雌ねじＣａが予め形成されており、この雌ねじＣａを利用して前述した支持部材３などをボルトを介して固定することができる。また、隣接する鉄骨柱Ｃ，Ｃ間に連結される鉄骨梁Ｈとしては、断面Ｈ字状の型鋼が採用され、上下のフランジｈ１，ｈ２には、その室内側および室外側において、それぞれ設定間隔をおいて複数個の取付穴ｈａが予め形成されており、この取付穴ｈａを利用して前述した下部取付部材４および上部取付部材５などをボルトナットを介して固定することができる。
【００１３】
なお、下階の鉄骨梁Ｈおよび上階の鉄骨梁Ｈとしては、例えば、２階の床梁と３階の床梁または３階の床梁と３階の小屋梁がそれぞれ対応している。
【００１４】
出隅パネル１は、押出成形セメント板であって、上下方向に貫通する複数個の中空部１ａを有するとともに、直交する各辺部の裏面側下端部近傍および上端部近傍に一の中空部１ａに連通する下穴１ｂが形成されており、各下穴１ｂには、一の中空部１ａの上下端部からそれぞれ挿入されたナット金具６が配設されている（図４参照）。
【００１５】
外壁パネル１Ａも、押出成形セメント板であって、上下方向に貫通する複数個の中空部１ａを有するとともに、裏面側四隅近傍に一の中空部１ａに連通する下穴１ｂが形成されており、各下穴１ｂには、一の中空部１ａの上下端部からそれぞれ挿入されたナット金具６が配設されている（図５参照）。
【００１６】
これらの出隅パネル１の表面および外壁パネル１Ａの表面には、詳細には図示しないが、加飾模様、例えば、縦方向および横方向にそれぞれ設定間隔をおいた複数本の横溝および縦溝からなる目地パターンが形成されている。
【００１７】
係合金具２は、鋼板を折曲して断面略Ｐ字状に形成されており、長穴２ａを有するとともに、その一端部に断面略Ｖ字状の係合部２ｂを有している（図４および図５参照）。そして、係合金具２は、その長穴２ａを通して外壁パネル１の下穴１ｂに配設されたナット金具６にボルトＢをねじ込むことにより、出隅パネル１および外壁パネル１Ａに固定することができる。この際、係合金具２を出隅パネル１および外壁パネル１Ａの上端部近傍に固定する場合は、その係合部２ｂが上方を向くように配置され、また、下端部近傍に固定する場合は、その係合部２ｂが下方を向くように配置される。
【００１８】
支持部材３は、鋼板を折曲して形成され、図６に示すように、鉄骨柱Ｃの外周側の直交する二面に跨がるようにＬ字状に折曲された取付部３１と、直交する取付部３１の各上端縁から水平方向に延びる支持部３２，３２を有しており、直交する取付部３１には、鉄骨柱Ｃに形成された雌ねじＣａに対応してボルト用取付穴（図示せず）が形成されている。
【００１９】
下部取付部材４は、図６に示すように、複数個のボルト用取付穴（図示せず）がそれぞれ形成された支持板４１と、支持板４１に溶接された断面略Ｌ字状のチャンネル材４２、例えば、リップ山形鋼と、からなり、チャンネル材４２の垂直片４２１の先端にはリップ部４２ａが形成されている。そして、チャンネル材４２は、支持板４１の先端部に外壁パネル１Ａの下端を支持する一定長さをおいて垂直片４２１の外面が位置するように、支持板４１に溶接されている。
【００２０】
ここで、下部取付部材４は、隣接する外壁パネル１Ａ，１Ａにおいて、近接する係合金具２，２、すなわち、左方の外壁パネル１Ａの下部右側に固定された係合金具２と、右方の外壁パネル１Ａの下部左側に固定された係合金具２とにわたる長さを若干越える短小な長さに形成されている。
【００２１】
ただし、鉄骨柱Ｃに近接して固定される下部取付部材４においては、チャンネル材４２が鉄骨柱Ｃの外周側隅角部近傍に達するまで延設されている（図２および図６参照）。
【００２２】
上部取付部材５は、図６に示すように、複数個のボルト用取付穴（図示せず）が形成された取付板５１と、取付板５１に溶接された断面略Ｌ字状のチャンネル材５２、例えば、リップ山形鋼と、からなり、チャンネル材５２の垂直片５２１の先端にはリップ部５２ａが形成されている。そして、チャンネル材５２は、垂直片５２１の外面が取付板５１の先端面よりもわずかに外方に位置するように、取付板５１に溶接されている。
【００２３】
ここで、上部取付部材５は、隣接する外壁パネル１Ａ，１Ａにおいて、近接する係合金具２，２、すなわち、左方の外壁パネル１Ａの上部右側に固定された係合金具２と、右方の外壁パネル１Ａの上部左側に固定された係合金具２とにわたる長さを若干越える短小な長さに形成されている。
【００２４】
ただし、鉄骨柱Ｃに近接して固定される上部取付部材５においては、チャンネル材５２が鉄骨柱Ｃの外周側隅角部近傍に達するまで延設されている（図３および図６参照）。
【００２５】
次に、出隅パネル１を取り付ける手順について説明する。
【００２６】
まず、図４に示すように、出隅パネル１の各辺部の裏面側上下端部近傍に係合部２ｂが出隅パネル１の上端部側および下端部側にそれぞれ位置するように、係合金具２の長穴２ａを通してナット金具６にボルトＢをねじ込み、係合金具２を出隅パネル１に固定する。この場合、ボルトＢはナット金具６から脱落しない程度に仮止めする。同様に、外壁パネル１Ａの裏面側四隅近傍に係合部２ｂが外壁パネル１Ａの上端部側および下端部側にそれぞれ位置するように、係合金具２の長穴２ａを通してナット金具６にボルトＢをねじ込み、係合金具２を外壁パネル１Ａに仮固定する（図５参照）。
【００２７】
また、鉄骨柱Ｃの外周側に沿って支持部材３を配置し、取付部３１のボルト用取付穴を通して鉄骨柱Ｃの雌ねじＣａにボルトをねじ込み、固定する。この際、支持部３２の上面は、下階の鉄骨梁Ｈの上フランジｈ１に固定される下部取付部材４の支持板４１の上面と同一平面上に位置するように設定されている。
【００２８】
一方、予め割り付けられた外壁パネル１Ａの取付位置から求められる隣接する外壁パネル１Ａ，１Ａの突き合わせ部に対応する位置において、下階の鉄骨梁Ｈの上フランジｈ１の上面に下部取付部材４の支持板４１を載置し、支持板４１のボルト用取付穴および鉄骨梁Ｈの上フランジｈ１の取付穴ｈａにボルトを挿通し、ナットを用いて固定する。
【００２９】
ただし、出隅パネル１と外壁パネル１Ａの突き合わせ部に対応する位置に固定される下部取付部材４については、鉄骨柱Ｃの外周側隅角部近傍に達する長さのチャンネル材４２を有するものを用いる。したがって、この延設されたチャンネル材４２の下面は支持部材３の支持部３２上に載置される（図６参照）。
【００３０】
同様に、予め割り付けられた外壁パネル１Ａの取付位置から求められる隣接する外壁パネル１Ａ，１Ａの突き合わせ部に対応する位置において、上階の鉄骨梁Ｈの下フランジｈ２の下面に上部取付部材５の取付板５１を配置し、取付板５１のボルト用取付穴および鉄骨梁Ｈの下フランジｈ２の取付穴ｈａにボルトを挿通し、ナットを用いて固定する。
【００３１】
ただし、出隅パネル１と外壁パネル１Ａの突き合わせ部に対応する位置に固定される上部取付部材５については、鉄骨柱Ｃの外周側隅角部近傍に達する長さのチャンネル材５２を有するものを用いる（図６参照）。
【００３２】
次いで、クレーンなどを利用して出隅パネル１を吊り上げ、その各辺部の下端面を支持部材３の左右の支持部３２にそれぞれ載置するとともに、その裏面を下部取付部材４の延設されたチャンネル材４２の垂直片４２１の外面および上部取付部材５の延設されたチャンネル材５２の垂直片５２１の外面に当接させた後、各係合金具２の係合部２ｂを、下部取付部材４の延設されたチャンネル材４２のリップ部４２ａおよび上部取付部材５のチャンネル材５２のリップ部５２ａにそれぞれ係合させ、ボルトＢを締め付けて係合金具２を出隅パネル１のナット金具６に締結し、出隅パネル１を下階の鉄骨梁Ｈに固定された下部取付部材４および上階の鉄骨梁Ｈに固定された上部取付部材５にわたって固定する。
【００３３】
この結果、鉄骨柱Ｃに支持部材３を固定する一方、下階の鉄骨梁Ｈに下部取付部材４を固定するとともに、上階の鉄骨梁Ｈに上部取付部材５を固定し、下部取付部材４の延設されたチャンネル材４２のリップ部４２ａおよび上部取付部材５の延設されたチャンネル材５２のリップ部５２ａに、出隅パネル１に仮固定された係合金具２の係合部２ｂをそれぞれ係合させてボルトＢを締め付けるだけの簡単な作業により、出隅パネル１を下階と上階にわたって確実に固定することができる。しかも、出隅パネル１に隣接する外壁パネル１Ａを固定するための下部取付部材４および上部取付部材５を利用して出隅パネル１を固定することができることから、出隅パネル１の表面と隣接する外壁パネル１Ａの表面が面一となり、外観を損なうことがない。
【００３４】
一方、外壁パネル１Ａを取り付ける場合は、出隅パネル１を固定した後、次のように作業すればよい。すなわち、クレーンなどを利用して同様に外壁パネル１Ａを吊り上げ、その下端左右端縁部を左右の下部取付部材４の支持板４１の室外側突出部にわたって載置するとともに、その裏面を左右の下部取付部材４のチャンネル材４２の垂直片４２１の外面および左右の上部取付部材５のチャンネル材５２の垂直片５２１の外面に当接させた後、各係合金具２の係合部２ｂを左右の下部取付部材４のチャンネル材４２のリップ部４２ａおよび左右の上部取付部材５のチャンネル材５２のリップ部５２ａにそれぞれ係合させ、ボルトＢを締め付けて係合金具２を外壁パネル１Ａのナット金具６に締結し、外壁パネル１Ａを下階の鉄骨梁Ｈに固定された左右の下部取付部材４および上階の鉄骨梁Ｈに固定された左右の上部取付部材５にわたって固定すればよい。
【００３５】
したがって、下階の鉄骨梁Ｈに固定された左右の下部取付部材４のチャンネル材４２のリップ部４２ａおよび上階の鉄骨梁Ｈに固定された左右の上部取付部材５のチャンネル材５２のリップ部５２ａに外壁パネル１Ａに仮固定された係合金具２の係合部２ｂをそれぞれ係合させてボルトＢを締め付けるだけの簡単な作業により、外壁パネル１を下階の鉄骨梁Ｈと上階の鉄骨梁Ｈにわたって確実に固定することができる。この場合、下部取付部材４および上部取付部材５は、隣接する外壁パネル１Ａ，１Ａに固定された係合金具２のうちの近接する係合金具２，２間にわたる長さを若干越える短小な長さに形成されているため、重量を軽減して取扱性を向上させることができるとともに、コストを削減することができる。
【００３６】
なお、前述した実施形態においては、下部取付部材４のチャンネル材４２および上部取付部材５のチャンネル材５２として、リップ山形鋼を使用した場合を例示したが、リップ山形鋼に限定されるものではない。すなわち、係合金具２の係合部２ｂが係合可能なリップ部を有すればよいことから、リップ山形鋼に代えてリップ溝形鋼を採用することもでき、断面コ字状や断面Ｃ字状などの形状を限定するものではない。
【００３７】
【発明の効果】
以上のように本発明によれば、出隅部に立設された鉄骨柱の外周側に支持部材を固定し、鉄骨柱に連結された下階の鉄骨梁に下部取付部材を固定するとともに、上階の鉄骨梁に上部取付部材を固定し、出隅パネルを支持部材に載置する一方、出隅パネルに仮固定された係合金具を、下部取付部材の延設されたチャンネル材および上部取付部材の延設されたチャンネル材にそれぞれ係合させてボルトを締め付けるだけの簡単な作業により、出隅パネルを下階と上階にわたって確実に固定することができる。そして、出隅パネルに隣接する外壁パネルを固定するための下部取付部材および上部取付部材を利用して出隅パネルを固定することができることから、出隅パネルの表面と隣接する外壁パネルの表面が面一となり、外観を損なうことがない。
【図面の簡単な説明】
【図１】本発明の鉄骨系住宅における出隅パネルの取付構造の一実施形態を一部省略して示す縦断面図である。
【図２】図１のＡ−Ａ線断面図である。
【図３】図１のＢ−Ｂ線断面図である。
【図４】出隅パネルに配設されるナット金具と係合金具の関係を示す分解斜視図である。
【図５】外壁パネルに配設されるナット金具と係合金具の関係を示す分解斜視図である。
【図６】図１の鉄骨構造体を形成する鉄骨柱および鉄骨梁にそれぞれ固定された支持部材、下部取付部材および上部取付部材を示す斜視図である。
【図７】鉄骨系住宅の鉄骨柱および鉄骨梁からなる鉄骨構造体を一部省略して示す斜視図である。
【符号の説明】
１  出隅パネル
１  外壁パネル
１ｂ  下穴
２  係合金具
２ｂ  係合部
３  支持部材
３１  取付部
３２  支持部
４  下部取付部材
４１  支持板
４２  チャンネル材
４２ａ  リップ部
５  上部取付部材
５１  取付板
５２  チャンネル材
５２ａ  リップ部
６  ナット金具
Ｃ  鉄骨柱
Ｈ  鉄骨梁
ｈ１  上フランジ
ｈ２  下フランジ
【図１】
0003895116.tif 000002
【図２】
0003895116.tif 000003
【図３】
0003895116.tif 000004
【図４】
0003895116.tif 000005
【図５】
0003895116.tif 000006
【図６】
0003895116.tif 000007
【図７】
0003895116.tif 000008